(57)【要約】【課題】電気掃除機を収納する際に、ホースを掃除機本体から垂れ下がることなく巻き付けることができる電気掃除機を提供すること。【解決手段】電気掃除機１は、吸引用電動機３および集塵部４を有すると共に、ホース接続部２１を備えた掃除機本体２と、基端部５１にホース接続部２１に嵌合するホース継手部５２を備え、先端部５３にフック５４を有するホース手元部５５を備えたホース５と、を備えている。電気掃除機１の不使用時には、掃除機本体２は、後面部２ａを床面に対向配置して起立配置し、ホース５は、ホース継手部５２をホース接続部２１に接続し、フック５４をホース継手部５２に設けた係止部６に係止させて収納する。掃除機本体２は、外周面２ｂに沿って延設されたホース係合溝２ｃを有する。ホース５は、ホース係合溝２ｃに係合させ掃除機本体２の外周面２ｂに巻き付けて支持させる。【選択図】図１
2010075471.tif 000002
【特許請求の範囲】
【請求項１】
吸引用電動機および集塵部を内設し、ホース接続部を有する掃除機本体と、
基端部に、前記ホース接続部に嵌合するホース継手部を備え、先端部に、フックを有するホース手元部を備えたホースと、を具備し、
電気掃除機の不使用時に、前記掃除機本体は、後面部を床面に対向配置して起立配置し、
前記ホースは、前記ホース継手部を前記ホース接続部に接続し、前記フックを前記ホース継手部に設けた係止部に係止させて収納する電気掃除機であって、
前記掃除機本体は、この掃除機本体の外周面に沿って延設されたホース係合溝を有し、
前記ホースは、前記ホース係合溝に係合させ前記掃除機本体の外周面に巻き付けて支持させることを特徴とする電気掃除機。
【請求項２】
前記係止部は、前記ホース継手部の外周部に取り付けられる取付部と、
前記取付部の外周側に空間を介して設置されて前記フックが掛止される掛止部と、
前記取付部と前記掛止部を連結した連結部と、
を有することを特徴とする請求項１に記載の電気掃除機。
【請求項３】
前記取付部は、略Ｃ字状に形成されて、その一端部に凸部を有し、その他端部に前記凸部が係合する連結溝を有すると共に、
内面側に、前記ホース継手部の外周部に形成されたストッパに係合する移動防止部を有することを特徴とする請求項２に記載の電気掃除機。
【請求項４】
前記ホース係合溝内には、吸引用電動機によって吸引した外気が排出される排気孔が穿設されていることを特徴とする請求項１ないし請求項３のいずれか１項に記載の電気掃除機。
【請求項５】
前記掃除機本体は、この掃除機本体を起立配置させたときに床面に当接して起立状態を維持すると共に、前記ホースを支持する支持突起が、前記ホース係合溝に隣接して設置されていることを特徴とする請求項１ないし請求項４のいずれか１項に記載の電気掃除機。
【請求項６】
前記掃除機本体には、前記ホース係合溝の縁に沿って略半円状に形成された取手が回動可能に配置され、
前記ホース係合溝の前記縁には、隣接した前記取手に指を掛けることが可能な切欠部が形成されていることを特徴とする請求項１ないし請求項５のいずれか１項に記載の電気掃除機。
【発明の詳細な説明】
【技術分野】
【０００１】
本発明は、電気掃除機に関し、特に、ホースおよび延長管を掃除機本体に装着した状態で縦置きに起立配置した状態に収納できる電気掃除機に関する。
【背景技術】
【０００２】
近年、掃除作業の簡略化や、狭い住居スペース等の理由から、電気掃除機を収納する際に、電気掃除機を押入れに収納せずに、室内の見える場所に縦置き状態で起立配置させておく使用者が増えている。このような室内に収納して置く電気掃除機としては、例えば、掃除機本体にホースを巻き付けた状態で、掃除機本体を縦置きにして置くことが可能な電気掃除機が知られている（例えば、特許文献１参照）。
【０００３】
特許文献１に記載されているような電気掃除機では、ゴミや塵埃等を吸い込む吸込口がある吸込口体を装着した延長管と、ホースと一体の手元操作管とを分離して、延長管を垂直に立てた状態で起立配置の掃除機本体に係止し、ホースを掃除機本体の周囲に巻き付けるようにして、その先端部の係合フックを基端部の係止溝に係止させている。ホースは、掃除機本体に巻き付ける際に、ホースの中間部を、掃除機本体の外周面から突出したホース押え部と、床面との間に挟持されるように巻き受けている。
【特許文献１】特開２００７−２０２７８９号公報（請求項１、図２および図４参照）
【発明の開示】
【発明が解決しようとする課題】
【０００４】
しかしながら、前記特許文献１に記載された電気掃除機では、ホースの先端部のフックを、掃除機本体に固定されたホースの基端部側の係止溝に引っ掛ける際に、係止溝が一点に限定されているので、フックを多方向から係止溝に引っ掛けることができない。このため、このような電気掃除機では、ホースの先端部のフックを掃除機本体側に係止する際に、そのフックを、常に、限定された１つ方向から同じ状態で係止溝に引っ掛けることが要求されて、必ず同じ動作で係止させなければならず、自由度がなく、引っ掛け難いという問題点があった。
【０００５】
このため、フックが取り付けられたホースは、常に、定められた一定の方向からしか掃除機本体に巻き付けることしかできず、巻き付ける際に、自由度がなく、使い勝手が悪いという問題点があった。
その結果、従来の電気掃除機のホースは、捩れたときにはフックを係止溝に係止し難いという問題点があった。
【０００６】
また、前記電気掃除機のホースは、ゆったりと円を描くように弛ませた状態で、ホースの中間部を掃除機本体から突出したホース押えに一点支持させているので、外れ易いという問題点があった。
さらに、ホースがホース押えから外れた電気掃除機や、ホースが弛んだ状態の電気掃除機は、ホースが垂れ下がった状態で収納されるため、見た目が悪いという問題点があった。
【０００７】
そこで、本発明は、前記従来技術の問題点を解消すべく創案されたものであり、電気掃除機を収納する際に、ホースを掃除機本体から垂れ下がることなく巻き付けることができる電気掃除機を提供することを課題とする。
【課題を解決するための手段】
【０００８】
前記課題を解決するために、本発明に係る電気掃除機は、吸引用電動機および集塵部を内設し、ホース接続部を有する掃除機本体と、基端部に、前記ホース接続部に嵌合するホース継手部を備え、先端部に、フックを有するホース手元部を備えたホースと、を具備し、電気掃除機の不使用時に、前記掃除機本体は、後面部を床面に対向配置して当該掃除機本体を起立配置し、前記ホースは、前記ホース継手部を前記ホース接続部に接続し、前記フックを前記ホース継手部に設けた係止部に係止させて収納する電気掃除機であって、前記掃除機本体は、この掃除機本体の外周面に沿って延設されたホース係合溝を有し、前記ホースは、前記ホース係合溝に係合させ前記掃除機本体の外周面に巻き付けて支持させることを特徴とする。
【０００９】
かかる構成によれば、掃除機本体は、この掃除機本体の外周面に沿って延設されたホース係合溝を有し、ホースが、そのホース係合溝に係合されて掃除機本体の外周面に巻き付けて支持されることによって、電気掃除機を収納する際に、ホースを掃除機本体から垂れ下がることなく巻き付けることができる。このため、電気掃除機を立てた状態に部屋内等に収納した場合に、ホースが、掃除機本体の外周面に密着するように沿って巻き付けられて、ぐら付くことなく係止されるので、見映えを向上させることができる。
【００１０】
また、前記係止部は、前記ホース継手部の外周部に取り付けられる取付部と、前記取付部の外周側に空間を介して設置されて前記フックが掛止される掛止部と、前記取付部と前記掛止部を連結した連結部と、を有することが好ましい。
かかる構成によれば、ホースの先端のフックを掃除機本体の全周方向から係止部に係止させることが可能となる。
【００１１】
なお、前記取付部は、略Ｃ字状に形成されて、その一端部に凸部、その他端部に前記凸部が係合する連結溝を有すると共に、内面側に、前記ホース継手部の外周部に形成されたストッパに係合する移動防止部を有することが好ましい。
【００１２】
また、前記ホース係合溝内には、吸引用電動機によって吸引した外気が排出される排気孔が穿設されていることが好ましい。
【００１３】
前記掃除機本体は、この掃除機本体を起立させたときに、床面に当接して起立状態を維持すると共に、前記ホースを支持する支持突起が、前記ホース係合溝に隣接して設置されていることが好ましい。
【００１４】
さらにまた、前記掃除機本体には、前記ホース係合溝の縁に沿って略半円状に形成された取手が回動可能に配置され、前記ホース係合溝の前記縁には、隣接した前記取手に指を掛けることが可能な切欠部が形成されていることが好ましい。
【発明の効果】
【００１５】
本発明に係る電気掃除機によれば、電気掃除機を収納する際に、ホースを掃除機本体から垂れ下がることなく巻き付けることができる。
【発明を実施するための最良の形態】
【００１６】
以下、本発明の実施形態について、図１〜図６を用いて説明する。
図１は、本発明の実施形態に係る電気掃除機の収納状態を示す正面図である。図２は、本発明の実施形態に係る電気掃除機の掃除機本体を示す正面図である。図３は、本発明の実施形態に係る電気掃除機の掃除機本体を示す後部斜視図である。図４は、本発明の実施形態に係る電気掃除機の掃除機本体の後部を示す背面図である。
なお、掃除機本体２は、配置状態によって上下左右方向の向きが変化するが、便宜上、ホース接続部２１がある側を前、その反対側を後、蓋体２３がある側を上、車輪２５，２５がある側を左右として説明する。
【００１７】
≪電気掃除機の構成≫
図１に示すように、電気掃除機１は、ゴミや塵埃等（以下、単に「塵埃」という。）を、掃除機本体２内に設けた吸引用電動機３による送風を利用した吸引力で吸込口体（図示省略）から延長管７およびホース５を介して掃除機本体２内の集塵部４に収集する装置である。この電気掃除機１は、それぞれ後記する掃除機本体２と、吸引用電動機３と、集塵部４と、ホース５と、フック５４と、係止部６と、延長管７と、吸込口体（図示省略）と、を主に備えている。電気掃除機１は、この電気掃除機１の不使用時に、掃除機本体２の後面部２ａを床面に対向配置して掃除機本体２を起立配置して、ホース５が、基端部５１のホース継手部５２をホース接続部２１に接続した状態で、掃除機本体２の外周面２ｂに巻き付けて、先端部５３のフック５４をホース継手部５２に設けた係止部６に係止させた状態に収納することができるようになっている。
【００１８】
≪掃除機本体の構成≫
図１に示すように、掃除機本体２は、吸引用電動機３および集塵部４を内設して、ホース５の基端部５１が取り付けられるホース継手部５２と、ホース５が巻き付けられる外周面２ｂと、を有する本体ケース２Ａから主に形成されている。掃除機本体２には、それぞれ後記する本体ケース２Ａと、ホース接続部２１と、支持突起２２（図３参照）と、蓋体２３と、取手２４と、車輪２５，２５と、電源コード（図示省略）と、が備えられている。この掃除機本体２は、後面部２ａを床面に対向配置させて起立した状態に配置させることが可能になっている。つまり、掃除機本体２は、その起立状態にした際に、床面に当接して起立状態を維持するための支持突起２２と、左右一対の車輪２５，２５とで三点支持されるようになっている。
【００１９】
＜本体ケースの構成＞
前記本体ケース２Ａには、後面部２ａの外周面２ｂに、切欠部２ｅ（図３参照）を有するホース係合溝２ｃ（図３および図４参照）と、支持突起２２と、が形成され、後面部２ａ寄りの左右側面に車輪２５，２５が配置され、前面部２ｆに、ホース接続部２１が形成されている。さらに、本体ケース２Ａの平面側には、集塵部４を開閉する蓋体２３と取手２４とが、それぞれ回動可能に設けられている。
【００２０】
＜ホース係合溝の構成＞
図１に示すように、前記ホース係合溝２ｃは、ホース５の基端部５１のホース継手部５２をホース接続部２１に接続し、ホース５の先端部５３のフック５４をホース継手部５２に設けた係止部６に係止させて電気掃除機１を収納する際に、ホース５を掃除機本体２の外周面２ｂに巻き付けた状態に保持するための溝である。図２〜図４に示すように、ホース係合溝２ｃは、掃除機本体２の右側側面中央部から後面部２ａを介して左側側面中央部にわたって、平面視して略Ｕ字状に形成された断面円弧状の溝である。換言すると、ホース係合溝２ｃは、掃除機本体２の外周面２ｂに沿って延設されて、ホース５が掃除機本体２の外周面２ｂに巻き付いた状態に支持されるように、ガイドする溝である。
【００２１】
＜排気孔の構成＞
図２〜図４に示すように、排気孔２ｇは、吸引用電動機３によって掃除機本体２内に吸引した外気が、掃除機本体２外に排出される孔であり、前記ホース係合溝２ｃ内に網状に多数穿設されている。なお、排気孔２ｇは、電気掃除機１を使用しない場合に、ホース５がホース係合溝２ｃに係合されることによって、排気孔２ｇが隠蔽されて、掃除機本体２の見映えをよくすることができるようになっている。
また、図３および図４に示すように、第２排気孔２ｈは、例えば、その排気孔２ｇから支持突起２２を間にして掃除機本体２の底面側方向の位置に配置されている。この第２排気孔２ｈは、掃除機本体２を起立状態にした際に、隠れる位置に配置されている（図２参照）。
【００２２】
＜取手の構成＞
図３および図４に示すように、取手２４は、使用者が掃除機本体２を水平状態にして持ち運んだり、起立状態にさせたりする際に、手で掴むためのものである。この取手２４は、ホース係合溝２ｃの上側の縁２ｄに沿って平面視して略半円状に形成されて、その両端部に設けた支軸２４ａ，２４ａ（図２参照）が掃除機本体２に軸支されて回動可能になっている。
【００２３】
＜切欠部の構成＞
図３および図４に示すように、切欠部２ｅは、使用者が、取手２４を掴む際に、指を掛け易くするために形成されたものであって、ホース係合溝２ｃの上側の縁２ｄの中央部に、例えば、円弧状に切欠形成されている。使用者は、取手２４を掴む際に、指先をその切欠部２ｅに入れて引き上げれば、掃除機本体２に被着するように設けられている取手２４を容易に掴んで引き上げることが可能になっている。
【００２４】
＜支持突起の構成＞
図２〜図４に示すように、前記支持突起２２は、ホース係合溝２ｃの底面側に隣接して設置され、ホース係合溝２ｃに係合したホース５をホース係合溝２ｃから離脱しないように支持するための突起である。さらに、この支持突起２２は、掃除機本体２の後面部２ａの平面側中央部から後方向に向けて突設され、掃除機本体２を起立状態に配置した際に、床面に先端面が当接して、左右の車輪２５，２５とで掃除機本体２の起立状態を保持する役目も果たす（図２参照）。
【００２５】
＜車輪および車輪カバーの構成＞
図２〜図４に示すように、車輪２５，２５は、掃除機本体２の左右側面の後部側に配置されて、回転することによって、掃除機本体２が床面上を移動し易くするためのものであり、掃除機本体２に回転自在に設けられている。
車輪カバー２ｉは、その車輪２５，２５の左右外側に配置されて、その車輪２５，２５を回転自在に覆うための保護部であり、本体ケース２Ａに一体に形成されている。
【００２６】
＜ホース接続部の構成＞
図５は、本発明の実施形態に係る電気掃除機のホース継手部を示す前部拡大斜視図である。
図５に示すように、ホース接続部２１は、ホース５の基端部５１のホース継手部５２が接続される部位であり、掃除機本体２の前面部２ｆに形成されている。
【００２７】
≪吸引用電動機および集塵部の構成≫
図１に戻って、吸引用電動機３は、塵埃を吸引する風を発生させるための送風機であり、掃除機本体２の後半部に内設されている。
集塵部４は、前記吸引用電動機３の吸引風によって吸い込んだ塵埃が収集される部位であり、掃除機本体２の前半部の蓋体２３内に配置されている。蓋体２３内は、ゴミ収集用の紙パック（図示省略）が収納されている。
【００２８】
≪ホースの構成≫
図１に示すように、前記ホース５は、掃除機本体２と延長管７とを接続するための管であり、例えば、伸縮性および可撓性を有する蛇腹状のものからなる。このホース５は、基端部５１に、ホース接続部２１に嵌合するホース継手部５２および第２取手部５６を備え、先端部５３に、フック５４を有するホース手元部５５を備えている。ホース５は、前記したように、電気掃除機１の収納時に、ホース係合溝２ｃに係合させ掃除機本体２の外周面２ｂに巻き付けて支持される。
なお、ホース５の長さは、例えば、使用者がホース５の先端部５３のホース手元部５５を持って掃除する際に、長すぎず、短すぎない長さであって、掃除し易い適切な長さとする。
【００２９】
＜ホース継手部の構成＞
図５に示すように、ホース継手部５２は、ホース５の基端部５１に固定されて、その基端部５１を掃除機本体２のホース接続部２１に連結したり、離脱したりするための着脱部位である。ホース継手部５２は、例えば、略円筒状の樹脂製部材からなる。ホース継手部５２の外周部５２ａには、第２取手部５６と、係止部６とが装着される。
ホース継手部５２の外周部５２ａには、嵌合された前記第２取手部５６をロックするためのロック部５２ｃと、後記する係止部６の取付部６１に設けた移動防止部６１ｃ（図６参照）が係合するストッパ５２ｂ（図６参照）と、が形成されている。
ロック部５２ｃは、ホース継手部５２の外周部５２ａに一体形成された係止爪（図示省略）を有する弾性係止片からなる。
ストッパ５２ｂ（図６参照）は、後記する取付部６１の内面に突設された移動防止部６１ｃ（図６参照）が嵌合する嵌合溝からなる。
【００３０】
＜第２取手部の構成＞
図５に示すように、第２取手部５６は、掃除機本体２を垂直に立てた状態で持ち運ぶ際に、手で掴む部位である。この第２取手部５６は、掃除機本体２の後部に配置された前記取手２４に対して反対側の位置であるホース継手部５２に配置されている。第２取手部５６は、ホース継手部５２に嵌着される嵌着部５６ａと、指を挿入して掴むための長円形の把持部５６ｂとを一体形成してなる。
【００３１】
＜ホース手元部およびフックの構成＞
図５に示すように、ホース手元部５５は、電気掃除機１で掃除する際に、手で持って吸込口部を操作するための部位であり、ホース５の先端部５３に設けられている。このホース手元部５５には、先端に固定されたフック５４と、吸引用電動機３を制御するための制御操作部（図示省略）とが設けられている。
フック５４は、ホース手元部５５を、後記する係止部６の掛止部６２に係止させるための部材であり、側面視してコ字状に折曲形成された鉤状部材からなる。なお、この鉤状部材は、ホース手元部５５とは別体に形成して、ホース手元部５５に固定したものであってもよく、または、ホース手元部５５に一体形成したものであってもよい。
【００３２】
≪係止部の構成≫
図６は、本発明の実施形態に係る電気掃除機の係止部を示す一部断面を有する平面図である。
図６に示すように、係止部６は、前記フック５４が係止される掛止部６２を備えた部材であり、ホース継手部５２の外周部５２ａに嵌着される。係止部６には、それぞれ後記するバンド状の取付部６１と、Ｃ字形リング状の掛止部６２と、連結部６３と、凸部６１ａと、連結溝６１ｂと、移動防止部６１ｃと、係止爪６１ｄ，６１ｄとが合成樹脂によって一体形成されている。係止部６は、掛止部６２がＣ字形リング状に形成されていることによって、前記フック５４が四方八方から掛止部６２に係止できるようになっている。
【００３３】
＜取付部の構成＞
図５および図６に示すように、取付部６１は、係止部６をホース継手部５２の外周部５２ａに取り付けるための部位であり、平面視して略Ｃ字状に形成されている。取付部６１には、それぞれ後記する凸部６１ａと、連結溝６１ｂと、移動防止部６１ｃ，６１ｃと、係止爪６１ｄ，６１ｄとが一体成形されている。この取付部６１は、移動防止部６１ｃをホース継手部５２のストッパ５２ｂに係合させ、係止爪６１ｄをホース継手部５２の端部に係止させた状態で、さらに、ホース継手部５２の外周部５２ａに嵌合して、凸部６１ａを連結溝６１ｂに係合することによって、ホース継手部５２を抱持した状態に取り付けられる。
【００３４】
＜凸部および連結溝の構成＞
図６に示すように、前記凸部６１ａは、略Ｃ字状の取付部６１の一端部の外面に形成された突起である。
連結溝６１ｂは、その凸部６１ａに係合する溝であり、略Ｃ字状の取付部６１の他端部に形成されている。
前記移動防止部６１ｃは、ホース継手部５２の外周部５２ａに形成されたストッパ５２ｂに係合されて、係止部６が移動するのを防止するための部位である。移動防止部６１ｃは、例えば、取付部６１の内面の両端部寄りにそれぞれ形成された複数の突起からなる。
係止爪６１ｄは、円筒状のホース継手部５２の開口縁に係止する爪であり、略Ｃ字状のベルト状の上端の左右から中心方向に向けて、平面視して円弧状に突出形成されている。
【００３５】
＜掛止部および連結部の構成＞
掛止部６２は、前記フック５４が掛止される部位であり、取付部６１の外周側に、連結部６３および空間６４を介して略Ｃ字状に配置される。
連結部６３は、略円環状の取付部６１と、略Ｃ字状の掛止部６２とを空間６４を介して等間隔に連結するための部位であり、取付部６１の外周面から掛止部６２の両端部と、取付部６１の外周面から掛止部６２の内壁面との複数個所に向けて放射状に形成されている。
【００３６】
≪延長管の構成≫
図１に戻って、延長管７は、ホース手元部５５に連結される樹脂製の管状部材であり、先端側に、塵埃を吸引する吸い込み口となる吸込口体（図示省略）が連結される。この延長管７は、掃除機本体２の底面側に設けた係合部（図示省略）に係止フック（図示省略）を係止することによって、掃除機本体２に垂直に立てた状態で係止される。
【００３７】
≪電気掃除機の作用≫
次に、図１〜図６を参照して本発明の実施形態に係る電気掃除機１の作用を説明する。
例えば、電気掃除機１を利用して掃除を行った後に、その電気掃除機１を部屋の隅等に起立状態に収納する場合は、図１に示すように、まず、延長管７をホース手元部５５から分離する。
【００３８】
次に、ホース５の基端部５１のホース継手部５２を、掃除機本体２のホース接続部２１に接続したままの状態で、そのホース５の中間部分を掃除機本体２のホース係合溝２ｃに係合させて、例えば、掃除機本体２の外周面２ｂに右回り（時計方向回り）に巻き付けて支持させる。そして、ホース５を若干延ばすように引っ張って、フック５４を係止部６の掛止部６２に係止させる。
【００３９】
このようにして、掃除機本体２に巻き付けたホース５は、掃除機本体２の外周面２ｂのホース係合溝２ｃに係合していることによって、ホース５が揺動することなく掃除機本体２に巻き付けられて保持される。さらに、ホース５は、ホース係合溝２ｃに係合させると、ホース係合溝２ｃに隣設された支持突起２２に支持されるので、掃除機本体２の底面側に離脱することが抑制される。このため、取手２４を把持して掃除機本体２を移動させたり、第２取手部５６を把持して、掃除機本体２を直立状態に体勢を変えたりしても、ホース５がホース係合溝２ｃに係合された状態に維持され、ホース５がホース係合溝２ｃから離脱することがない。
【００４０】
次に、第２取手部５６に手を掛けて、掃除機本体２を図１に示す状態の起立状態にする。そして、延長管７は、吸込口体（図示省略）を下側にして、係止フックを掃除機本体２の係合部に係合させて立てた状態に支持させる。掃除機本体２を直立状態にすると、掃除機本体２は、左右の車輪２５，２５と、支持突起２２とによって床面に三点支持されるため、安定した状態に立てることができる（図２参照）。
このとき、ホース５は、円弧状のホース係合溝２ｃと、支持突起２２とによって支持されるので、ホース係合溝２ｃに係合された状態を維持することができる。
【００４１】
なお、掛止部６２は、略円環状に形成されて四方八方の全周方向からフック５４を掛止することが可能になっている。図１では、ホース５を掃除機本体２に巻き付ける１例として、ホース５を掃除機本体２の外周面２ｂに右回りに巻き付けた状態を示すが、図５に示すように、ホース５を左回り（反時計方向回り）に掃除機本体２の外周面２ｂに巻き付けても、ホース５は前記同様に保持される。つまり、フック５４を掛止部６２に自由な方向から掛止できることによって、ホース５を掃除機本体２に巻き付ける方向も、左右方向のどちらの方向からでも巻き付けることが可能となった。このため、ホース５を掃除機本体２の外周面２ｂに巻き付ける際に、左右どちらの方向からでもホース５を巻き付けて、フック５４を掛止部６２に掛止させることができる。
【００４２】
このようにして、掃除機本体２に巻き付けた状態に保持されたホース５は、図１に示す状態に部屋の隅に収納される。このように、電気掃除機１を立てた起立状態に部屋内等に収納した場合には、ホース５が掃除機本体２の外周面２ｂのホース係合溝２ｃに揺動することなく係止されると共に、さらに、ホース５を若干延ばすようにして巻き付けることによってホース５自体の伸縮する弾性力でホース係合溝２ｃに係合されるため、ホース５が垂れ下がることがない。このため、ホース５は、掃除機本体２の外周面２ｂを取り囲む長円形を描くように巻き付かられるため、電気掃除機１の見映えや外観性を向上させることができる。
【００４３】
また、掃除機本体２に多数設けられた排気孔２ｇは、電気掃除機１を収納する際に、ホース５をホース係合溝２ｃに係合させるより、ホース５によって隠蔽されるため、さらに、電気掃除機１の見映えや外観性を向上させることができる。
【００４４】
また、掛止部６２は、フック５４等の鉤状部材を四方八方から掛止できるので、掃除機本体２を起立配置して収納した際に、電気掃除機１以外のハタキ等のその他の掃除用具をこの掛止部６２に掛けて置くこともできる。
【００４５】
≪変形例≫
なお、本発明は、前記実施形態に限定されるものではなく、その技術的思想の範囲内で種々の改造および変更が可能であり、本発明はこれら改造および変更された発明にも及ぶことは勿論である。
【００４６】
前記実施形態では、係止部６をホース継手部５２に、着脱可能な状態に取り付ける場合を説明したが、係止部６は、フック５４を全周方向から掛止部６２に掛止できればよく、ホース継手部５２に一体形成したものであっても構わない。つまり、取付部６１は、ホース継手部５２の外周部５２ａに一体に形成してもよい。
【図面の簡単な説明】
【００４７】
【図１】本発明の実施形態に係る電気掃除機の収納状態を示す正面図である。
【図２】本発明の実施形態に係る電気掃除機の掃除機本体を示す正面図である。
【図３】本発明の実施形態に係る電気掃除機の掃除機本体を示す後部斜視図である。
【図４】本発明の実施形態に係る電気掃除機の掃除機本体の後部を示す背面図である。
【図５】本発明の実施形態に係る電気掃除機のホース継手部を示す前部拡大斜視図である。
【図６】本発明の実施形態に係る電気掃除機の係止部を示す一部断面を有する平面図である。
【符号の説明】
【００４８】
１      電気掃除機
２      掃除機本体
２ａ    後面部
２ｂ    外周面
２ｃ    ホース係合溝
２ｄ    縁
２ｅ    切欠部
２ｇ    排気孔
３      吸引用電動機
４      集塵部
５      ホース
６      係止部
２１    ホース接続部
２２    支持突起
２４    取手
５１    基端部
５２    ホース継手部
５２ａ  外周部
５２ｂ  ストッパ
５３    先端部
５４    フック
５５    ホース手元部
６１    取付部
６１ａ  凸部
６１ｂ  連結溝
６１ｃ  移動防止部
６２    掛止部
６３    連結部
６４    空間
【図１】
2010075471.tif 000003
【図２】
2010075471.tif 000004
【図３】
2010075471.tif 000005
【図４】
2010075471.tif 000006
【図５】
2010075471.tif 000007
【図６】
2010075471.tif 000008